(57)【要約】【課題】加入者回線終端装置登録手順を一連の手順としてオンライン自動化を図り、かつ登録に必要なレンジングウィンドウによるＰＯＮの帯域の効率低下を防ぐことができる加入者回線終端装置の登録方法を提供する。【解決手段】本発明によるパッシブ光ネットワークシステム光加入者回線終端装置の登録方法は、光加入者収容装置と光加入者回線終端装置が接続されるパッシブ光ネットワークシステムにおける光加入者回線終端装置の登録時に、予め光加入者収容装置に運用光加入者回線終端装置数を設定し、接続された光加入者収容装置のシリアル番号取得及び登録を光加入者収容装置と光加入者回線終端装置の間で、光加入者収容装置のレンジング処理前に行い、運用光加入者回線終端装置数までシリアル番号取得及び登録をさせ、光加入者収容装置と光加入者回線終端装置のメッセージ交換を停止させることを特徴とする。【選択図】　　　　図１
2004134972.tif 000002
【特許請求の範囲】
【請求項１】
加入者収容装置と加入者回線終端装置が接続されるネットワークシステムにおける加入者回線終端装置の登録時に、
予め前記加入者収容装置に運用加入者回線終端装置数を設定し、
接続された前記加入者収容装置のシリアル番号取得及び登録が自動で前記加入者収容装置と前記加入者回線終端装置の間で、前記加入者回線終端装置のレンジング処理前に行われ、
前記運用加入者回線終端装置数まで前記シリアル番号取得及び登録をさせ、前記加入者収容装置と前記加入者回線終端装置のメッセージ交換を停止させること
を特徴とするネットワークシステム加入者回線終端装置の自動登録方法。
【請求項２】
請求項１記載の加入者回線終端装置の自動登録方法において、
ネットワークシステムはパッシブ光ネットワークシステムであること
を特徴とするネットワークシステム加入者回線終端装置の自動登録方法。
【請求項３】
光加入者収容装置と光加入者回線終端装置が接続されるパッシブ光ネットワークシステムにおける光加入者回線終端装置の登録時に、
前記光加入者収容装置と光加入者回線終端装置間の一巡伝播遅延時間を測定する時間窓を開き、前記光加入者収容装置と光加入者回線終端装置間でＭＡＣ制御フレームによる登録メッセージを時間窓において授受することにより接続された光加入者回線終端装置の自動認識を行う方法であり、
予めパッシブ光ネットワークシステム監視制御システムより運用光加入者回線終端装置数を光加入者収容装置に設定し、前記光加入者収容装置は接続された各光加入者回線終端装置に対し順次、光加入者回線終端装置固有シリアル番号を取得し、前記光加入者収容装置と光加入者回線終端装置間の一巡伝播遅延時間測定をし、光加入者回線終端装置登録処理を行い、光加入者収容装置はパッシブ光ネットワークシステムより設定された運用光加入者回線終端装置数に対し全数の登録を完了させ、接続光加入者回線終端装置を全数サービス運用状態として運用すること
を特徴とするパッシブ光ネットワークシステム光加入者回線終端装置の自動登録方法。
【発明の詳細な説明】
【０００１】
【発明の属する技術分野】
本発明は、パッシブ光ネットワークシステムにおける光加入者回線終端装置の登録方法に関するものである。
【０００２】
【従来の技術】
現在、パッシブ光ネットワーク（ＰＯＮ）システムとしては、ＡＴＭ通信方式に基づくＡＴＭ−ＰＯＮシステムが実用に供され、光加入者トラヒックをＡＴＭセルで収容する方式が採用されている。
【０００３】
ＡＴＭ−ＰＯＮシステムはセンタ局舎に設置される光加入者収容装置（ＯＬＴ）、加入者宅またはオフィス等に設置される光加入者回線終端装置（ＯＮＴ）により構成され、ＯＬＴと複数のＯＮＴ間が一芯光ファイバケーブルにて光カプラを介してスター状に接続され、各加入者トラヒックは光カプラによりパッシブに多重されＯＬＴに収容される。
【０００４】
ネットワーク管理者は、ＡＴＭ−ＰＯＮシステム監視制御システム（ＯｐＳ）によりＡＴＭ−ＰＯＮシステムの構成要素であるＯＬＴ及びＯＮＴの管理、制御、監視を行うが、加入者宅に配備されるＯＮＴに関してもＯｐＳの配下に登録され管理される。
【０００５】
ＡＴＭ−ＰＯＮシステムにおいては、ＯＮＴは加入者単位に配備され加入者宅内機器とのユーザ網インタフェースを提供し、加入者トラヒックを多重してＰＯＮへ送出する。各ＯＮＴには固有番号としてユニークなシリアル番号が付与され、ＯＮＴ本体にラベル表示される。ネットワーク管理者はこのシリアル番号により各加入者と各ＯＮＴを対応付け識別するため、ＯＮＴのシリアル番号を取得しＯｐＳに登録することが必要である。なおＯｐＳにＯＮＴのシリアル番号が登録されると、そのシリアル番号に対応するＯＮＴ番号というパラメータにより、ＰＯＮにおいて各ＯＮＴが識別され、ＯｐＳに管理されることになる。ＡＴＭ−ＰＯＮシステムにおいてはＯＬＴとＯＮＴ間の伝送距離として最大２０ｋｍのアクセススパンが実現されている。ＰＯＮシステムのＯＮＴからＯＬＴへの上り方向の多重アクセス方式としては時分割多重アクセス（ＴＤＭＡ）方式が採用される。ＴＤＭＡを実現するため加入者通信に先立ってＯＬＴとＯＮＴ間の距離と伝播遅延時間を測定し、その結果に基づきＯＮＴよりの送出時間と位相を調整するレンジング（特開２００２−２０４２４５「信号出力装置、信号出力方法及び信号出力方法をコンピュータに実行させるためのプログラムを記録したコンピュータ読み取り可能な記録媒体」参照）と呼ばれる処理が行われる。
【０００６】
以上のように、ＡＴＭ−ＰＯＮシステムにおいては、接続されたＯＮＴに対してＯｐＳによるシリアル番号登録及びレンジング処理が行われ、それらのシーケンスを完了させて初めて加入者トラヒックのアクセスが可能となる。
【０００７】
【発明が解決しようとする課題】
しかしながら、上述のようなＡＴＭ−ＰＯＮシステムにおけるＯＮＴ設置及び登録の作業手順としては、ＯＮＴ工事担当者が設置したＯＮＴシリアル番号を読み取ってネットワーク管理者に通知し、ネットワーク管理者はＯＮＴ工事担当者からの通知によりＯＮＴシリアル番号を取得し、取得したシリアル番号を用いてＯｐＳへ登録するという手順が必要であった。本手順は番号読み取り、通知、ＯｐＳ投入などの各段階でシリアル番号に関連する誤操作、誤設定などの要因にもなりえるものであった。
【０００８】
また未登録ＯＮＴに対しては定期的にレンジングウインドウを開き、ＯＬＴとの登録メッセージを交換する必要があり、そのためＡＴＭ−ＰＯＮの帯域を確保しておく必要があった。
【０００９】
本発明は、このような従来の構成が有していた問題を解決するものであり、ＯＮＴ登録手順を一連の手順としてオンライン自動化を図り、かつＯＮＴ登録に必要なレンジングウィンドウによるＡＴＭ−ＰＯＮの帯域の効率低下を防ぐことを目的とするものである。
【００１０】
【課題を解決するための手段】
かかる課題を解決するため、本発明によるパッシブ光ネットワークシステム光加入者回線終端装置の登録方法は、光加入者収容装置と光加入者回線終端装置が接続されるパッシブ光ネットワークシステムにおける光加入者回線終端装置の登録時に、予め光加入者収容装置に運用光加入者回線終端装置数を設定し、接続された光加入者収容装置のシリアル番号取得及び登録を光加入者収容装置と光加入者回線終端装置の間で、光加入者収容装置のレンジング処理前に行い、運用光加入者回線終端装置数までシリアル番号取得及び登録をさせ、光加入者収容装置と光加入者回線終端装置のメッセージ交換を停止させることを特徴とする。
【００１１】
【発明の実施の形態】
以下、本発明による加入者回線終端装置の自動登録方法を示す実施の形態は、図１、図２、図３を用いて説明される。
【００１２】
図１は本実施の形態のイーサネット（Ｒ）パッシブ光ネットワーク（Ｅ−ＰＯＮ）システムの構成を示すブロック図である。図２は各種メッセージ交換用ＭＡＣ制御フレームを示す図である。図３は光加入者回線終端装置（ＥＮＴ）と光加入者収容装置（ＥＬＴ）間の信号シーケンスを示す図である。
【００１３】
図１に示すように本実施の形態のＥ−ＰＯＮシステムは、光加入者収容装置（ＥＬＴ）１と複数の光加入者回線終端装置（ＥＮＴ）２がスターカプラ３を介して、一芯光ファイバケーブル４によりスター配線で接続される。複数の加入者トラヒックは、ＥＮＴ２を介してスターカプラ３を介して多重されＥＬＴ１に収容される。
【００１４】
イーサネット（Ｒ）パッシブ光ネットワーク（Ｅ−ＰＯＮ）においては従来のＡＴＭパッシブ光ネットワーク（ＡＴＭ−ＰＯＮ）と同様に、上り方向ネットワークアクセスと加入者多重を時分割多重アクセスにより実現している。そのためレンジングと呼ばれる光加入者収容装置（ＥＬＴ）１と各光加入者回線終端装置（ＥＮＴ）２間の一巡伝播遅延時間（ＲＴＴ：Ｒｏｕｎｄ　Ｔｒｉｐ　Ｔｉｍｅ）測定が行われ、その測定値を元に各ＥＮＴ２の上りフレーム間の衝突を回避するようにフレーム位相が制御される。ＥＮＴ２がＥＬＴ１に接続されると、ＥＮＴ２のシリアル番号登録及びレンジングが行われ、このＥＮＴ２の登録及びレンジングが完了して、初めて通信を開始することが可能になる。レンジング処理はレンジングウインドウと呼ばれる特定の時間窓を開いて行われる。レンジングウインドウのウインドウサイズは全ＥＮＴ２のレンジングを迅速に実行でき、かつ上り帯域消費が大きくなることがないように、例えばレンジングウインドウのオーバヘッドが全帯域の５％以内に選定される。
【００１５】
まず、図示されないＰＯＮシステム監視制御システム（ＯｐＳ）より予め接続ＥＮＴ数をＥＬＴ１に設定し、接続されたＥＮＴ２のシリアル番号取得と登録をＥＮＴ２のレンジング処理前にレンジングウインドウにおいてオンラインでメッセージ交換を行うことにより実現する。図２に示されるＥ−ＰＯＮにおける各種メッセージ交換用ＭＡＣ制御フレームについて説明する。本フレームにおいてＤＡは送信先ＭＡＣアドレス、ＳＡは送信元ＭＡＣアドレス、Ｔｙｐｅ／ＬｅｎｇｔｈはＭＡＣフレームタイプとフレーム長を示し、ＭＡＣ制御フレームはこのフレームタイプにより設定される。Ｏｐｃｏｄｅはメッセージ種別を示し、タイムスタンプは時刻スタンプを示し、ＦＣＳはフレームシーケンスチェックである。
【００１６】
ＥＬＴ１とＥＮＴ２間においては図２に示されるＭＡＣ制御フレームを用いてＧａｔｅ：Ｄｉｓｃｏｖｅｒｙ、Ｒｅｇｉｓｔｅｒ　ＲＱ　ｍｅｓｓａｇｅ、Ｒｅｇｉｓｔｅｒ　ｍｅｓｓａｇｅ、Ｇａｔｅ　ｍｅｓｓａｇｅ、Ｒｅｇｉｓｔｅｒ　Ａｃｋ　ｍｅｓｓａｇｅのメッセージの授受によりＥＮＴ２の登録が行われる。
【００１７】
Ｇａｔｅ：ＤｉｓｃｏｖｅｒｙはＥＬＴ１とＥＮＴ２間のメッセージ交換を開始するにあたりＥＬＴ１から送信されるＥＮＴゲート信号である。Ｒｅｇｉｓｔｅｒ　ＲＱ　ｍｅｓｓａｇｅはＧａｔｅ：Ｄｉｓｃｏｖｅｒｙを受信したＥＮＴがＥＬＴ１に対して、応答する信号である。Ｒｅｇｉｓｔｅｒ　ｍｅｓｓａｇｅは、ＲＨＹ−ＩＤを通知する信号である。ＲＨＹ−ＩＤとはＥ−ＰＯＮ区間に閉じたＥＮＴ識別ＩＤであり、ＥＬＴ１配下の複数のＥＮＴ２を識別するＩＤである。Ｒｅｇｉｓｔｅｒ　Ａｃｋ　ｍｅｓｓａｇｅはＧａｔｅ　ｍｅｓｓａｇｅに応答する信号である。
【００１８】
ＥＮＴは自ＥＮＴへのＧａｔｅ：Ｄｉｓｃｏｖｅｒｙ受信を認識し、それを契機にＥＬＴ１へ応答しメッセージ送信を開始する。
【００１９】
次に図３を用いて、以上の構成による加入者回線終端装置の自動登録方法の動作を説明する。
【００２０】
接続ＥＮＴ数が設定されたＥＬＴ１は未接続ＥＮＴ２を探索するために、送信先アドレス（ＤＡ：Ｄｅｓｔｉｎａｔｉｏｎ　ａｄｄｒｅｓｓ）をマルチキャストとして全ＥＮＴ２宛てにＧａｔｅ：Ｄｉｓｃｏｖｅｒｙを送信する。接続ＥＮＴがない場合は、ＥＮＴ２からの応答はないため、ＥＬＴ１は図示されないＳＵＦｉ警報を上げて登録待ち状態となる。接続ＥＮＴ２が存在した場合、接続されている全てのＥＮＴ２がＲｅｇｉｓｔｅｒ　ＲＱ　ｍｅｓｓａｇｅで応答する。各ＥＮＴ２はそれぞれユニークなシリアル番号（ＳＮ：ｓｅｒｉａｌ　ｎｕｍｂｅｒ）を有しており、各ＥＮＴ２はＲｅｇｉｓｔｅｒ　ＲＱ　ｍｅｓｓａｇｅの送信元アドレス（ＳＡ：Ｓｏｕｒｃｅ　Ａｄｄｒｅｓｓ）として当該シリアル番号（ＳＮ：ｓｅｒｉａｌ　ｎｕｍｂｅｒ）を割り当てて応答する。またＤＡ＝ＦＥ−ＦＦ−ＦＦ−ＦＦ−ＦＦ−ＦＦはＥ−ＰＯＮ区間におけるＥＬＴのＭＡＣアドレスである。これによりＥＬＴ１はＥＮＴ２のシリアル番号を取得することができる。
【００２１】
上記ＥＮＴ登録シーケンスはＥＮＴ２のレンジング処理以前であるから各ＥＮＴ２の応答フレーム位相は任意であり、各ＥＮＴ２からＥＬＴ１に到達するフレーム位相はＥ−ＰＯＮの伝播遅延時間によりまちまちとなり、フレームの衝突は避けられない。そこで、一つのレンジングウインドウ中に受信できるフレームは一つだけとすることにより、フレームの衝突を回避する。レンジングウインドウ内に１フレームのみの応答になるように制御するためにＥＮＴ２側の応答をランダム時間待つこととする。Ｒｅｇｉｓｔｅｒ　ＲＱ　ｍｅｓｓａｇｅ送信後、Ｇａｔｅ　ｍｅｓｓａｇｅを受信した場合、ＥＮＴ２は０からＮまでの間でランダムな整数を生成し、そのランダム整数だけＧａｔｅに対する応答を止めるフレーム衝突を回避する。ＥＬＴ１は図示されない、現在登録されているシリアル番号リストを有しており、シリアル番号を取得したＥＬＴ１は、このリストを参照して取得シリアル番号が新規の番号であるか否かを判断し、新規の場合シリアル番号を有効に設定する。
【００２２】
次いでレンジング処理に当たって、ＥＬＴ１は取得されたシリアル番号を宛先アドレス（ＤＡ＝ＳＮ）としてＧａｔｅ：Ｄｉｓｃｏｖｅｒｙ受信をトリガにシリアル番号を送信元アドレス（ＳＡ＝ＳＮ）としてＲｅｇｉｓｔｅｒ　ＲＱ　ｍｅｓｓａｇｅを返送する。ＥＬＴは受信されたシリアル番号を照合し、照合の結果シリアル番号が一致すればＲＴＴ値を設定し、レンジングを行う。レンジング完了後、ＥＬＴはＤＡ＝ＳＮとして当該ＥＮＴにＲｅｇｉｓｔｅｒ　ｍｅｓｓａｇｅを送信し、ＲＨＹ−ＩＤを通知する。ＲＨＹ−ＩＤはＥ−ＰＯＮ区間に閉じたＥＮＴ識別ＩＤであり、ＥＬＴ１配下の複数のＥＮＴ２を識別するＩＤである。当該ＥＮＴはＲｅｇｉｓｔｅｒ　ｍｅｓｓａｇｅにより自分のＲＨＹ−ＩＤを取得し、これを設定する。以降、ＥＮＴはＰＨＹ−ＩＤとＤＡ＝ＳＮによりＥＬＴより自ＥＮＴへのＭＡＣ制御フレームメッセージをフィルタリングする。最初のＧａｔｅ　ｍｅｓｓａｇｅ　の応答がＲｅｇｉｓｔｅｒ　Ａｃｋであることを確認し、登録完了となる。Ｒｅｇｉｓｔｅｒ　Ａｃｋが返ってこない場合、登録失敗としてＳＵＦｉ警報を発生し、再度登録シーケンスを繰り返す。レンジング未完了のＥＮＴ２がある限り、登録シーケンスが継続し、予めＥＬＴ１に設定されたＥＮＴ数の登録とレンジングが完了し、登録シーケンスが停止されるとＥＮＴの登録が完了する。
【００２３】
本実施の形態では、Ｅ−ＰＯＮシステムにおける加入者回線終端装置の自動登録方法を例に示したが、もちろんＡ−ＰＯＮシステムにおける加入者回線終端装置の自動登録方法に利用してもよい。
【００２４】
【発明の効果】
以上のように、本発明の加入者回線終端装置の自動登録システムによれば、イーサネット（Ｒ）パッシブ光ネットワーク（Ｅ−ＰＯＮ）システムにおいて、光加入者回線終端装置（ＥＮＴ）登録とレンジングの一連の手順をＡＴＭパッシブ光ネットワーク（ＡＴＭ−ＰＯＮ）を介してオンラインで自動的に行うことが可能となり、光加入者回線終端装置（ＯＮＴ）建設工事の容易化、誤操作防止を図ることが可能となる。また、パッシブ光ネットワーク（ＰＯＮ）帯域の利用効率の向上を図ることが可能となる。
【図面の簡単な説明】
【図１】本実施の形態のＥ−ＰＯＮシステムの構成を示すブロック図
【図２】各種メッセージ交換用ＭＡＣ制御フレームを示す図
【図３】ＥＮＴとＥＬＴ間の信号シーケンスを示す図
【符号の説明】
１…光加入者収容装置、２…光加入者回線終端装置、３…スターカプラ、４…一芯光ファイバケーブル
【図１】
2004134972.tif 000003
【図２】
2004134972.tif 000004
【図３】
2004134972.tif 000005